(57)【特許請求の範囲】
【請求項１】
通信回線に接続された装置本体および本体離着型の入出力端末それぞれに、上記通信回線との電気的接続を開閉するための第１および第２のフックスイッチが付設されているとともに、音または光を発する報知手段を備えた通信装置であって、
上記第１および第２のフックスイッチからの開閉信号を検出し、これら両フックスイッチの開閉状態に相違があるか否かを判定する開閉状態判定手段と、
上記開閉状態判定手段により上記両フックスイッチの開閉状態に相違があると判定された場合、上記報知手段によって警告音または警告光を発生させる警告報知制御手段とを有することを特徴とする通信装置。
【請求項２】
上記第１および第２のフックスイッチのうち、いずれか一方は、上記通信回線の回線電流に基づいて開閉信号を出力している、請求項１に記載の通信装置。
【請求項３】
上記装置本体は、ファクシミリ装置本体である、請求項１または請求項２に記載の通信装置。
【請求項４】
上記本体離着型の入出力端末は、通話音声を入出力するための送受話器である、請求項１ないし請求項３のいずれかに記載の通信装置。
【請求項５】
上記装置本体には、上記通信回線を分岐する回線分岐手段が設けられているとともに、その回線分岐手段を介して上記本体離着型の入出力端末および各種形態の入出力端末が接続可能であり、
上記各種形態の入出力端末は、送受話器を備えた電話装置である、請求項１ないし請求項４のいずれかに記載の通信装置。
【請求項６】
通信回線に接続された装置本体および本体離着型の入出力端末それぞれに、上記通信回線との電気的接続を開閉するための第１および第２のフックスイッチが付設されているとともに、音または光を発する報知手段を備えた通信装置を制御するためのプログラムを記憶した記憶媒体であって、
上記第１および第２のフックスイッチからの開閉信号を検出し、これら両フックスイッチの開閉状態に相違があるか否かを判定するための開閉状態判定プログラムと、
上記開閉状態判定プログラムに基づいて上記両フックスイッチの開閉状態に相違があると判定された場合、上記報知手段によって警告音または警告光を発生させるための警告報知制御プログラムとを含むプログラムを記憶したことを特徴とする記憶媒体。
【発明の詳細な説明】
【０００１】
【発明の属する技術分野】
本発明は、たとえばファクシミリ装置などのように、装置本体と送受話器との両方にフックスイッチが設けられた通信装置、およびその通信装置を制御するためのプログラムを記憶した記憶媒体に関する。
【０００２】
【従来の技術】
従来、ファクシミリ装置や電話装置には、相手先と通話するために送受話器が備えられており、通常、装置本体の送受話器を設置する箇所にフックスイッチが設けられている。
【０００３】
最近では、ファクシミリ装置や電話装置自体の高機能、多機能化が進み、特にファクシミリ装置では、画像の読取および記録動作に伴う消費電力が大きいことから、装置本体の制御が外部電源からの電力を利用して行われている。したがって、ファクシミリ装置の装置本体に設けられたフックスイッチでは、外部電源からの電源電流に基づいて公衆電話回線との電気的接続を開閉する機構が採用されている。
【０００４】
一方、一般的な公衆電話回線には、音声信号を伝える役割に加えて電力供給機能が備えられている。したがって、公衆電話回線に接続された電話装置などでは、停電時でも回線電流に基づいて回線を切断・接続することにより、電話回線を介して音声信号の送受信が可能とされている。このような理由からファクシミリ装置には、停電時でも公衆電話回線を介して相手先との通話が行えるように、装置本体のフックスイッチに加えて送受話器にもフックスイッチを設けたものがあり、このようなファクシミリ装置では、一方のフックスイッチが外部電源からの電源電流に基づいて公衆電話回線との電気的接続を開閉するとともに、他方のフックスイッチが回線電流に基づいて電気的接続を開閉する構成とされている。このような２種類のフックスイッチは、互いに連動するように配置されており、両方の開閉状態が必ず一致するものとされている。たとえば、通話を終えて送受話器が装置本体に置かれた場合、両フックスイッチは、共に押し下げられた状態で電話回線との電気的接続を切断した開状態とされる。
【０００５】
【発明が解決しようとする課題】
しかし、２種類のフックスイッチが設けられた上記従来のファクシミリ装置では、装置本体に対する送受話器の置き方によっては、両フックスイッチの開閉状態が互いに異なる場合がある。このような場合、使用者が回線を切断したものと思ってそのままの状態にしていると、公衆電話回線と接続された状態にあるので、相手先からの呼出信号を受信することができず、または課金された状態が持続される場合があるなどの不具合があった。
【０００６】
本発明は、上記の点に鑑みて提案されたものであって、２種類のフックスイッチの開閉状態に応じて回線接続状況に問題が生じた場合、警告音または警告光を発することによって注意を促すことができる通信装置、およびその通信装置を制御するためのプログラムを記憶した記憶媒体を提供することを目的とする。
【０００７】
【課題を解決するための手段】
上記目的を達成するために、請求項１に記載した発明の通信装置は、通信回線に接続された装置本体および本体離着型の入出力端末それぞれに、上記通信回線との電気的接続を開閉するための第１および第２のフックスイッチが付設されているとともに、音または光を発する報知手段を備えた通信装置であって、上記第１および第２のフックスイッチからの開閉信号を検出し、これら両フックスイッチの開閉状態に相違があるか否かを判定する開閉状態判定手段と、上記開閉状態判定手段により上記両フックスイッチの開閉状態に相違があると判定された場合、上記報知手段によって警告音または警告光を発生させる警告報知制御手段とを有することを特徴としている。
【０００８】
この通信装置によれば、装置本体に対する入出力端末の置き方によっては、それぞれに付設された第１および第２のフックスイッチの開閉状態が互いに異なる場合がある。このような場合、両フックスイッチからの開閉信号が検出されて開閉状態に相違があることが判定され、その結果、両フックスイッチの動作が異なった時点で警告音または警告光が発生するので、２種類のフックスイッチの開閉状態に応じて回線接続状況に問題が生じた場合でも、警告音または警告光を発することによって使用者に注意を促すことができる。具体的には、通信終了後、入出力端末が装置本体に対して正確に置かれなかった場合、使用者が回線を切断したものと思ってそのままの状態にしていても、警告音または警告光の発生によって入出力端末の置き直しを促すことができ、その後、入出力端末が装置本体に正確に置かれることで、相手先からの呼出信号を受信することができず、または課金された状態が持続される場合があるなどの不具合を解消することができる。
【０００９】
通信回線としては、たとえば公衆電話回線が好適であるが、これに限ることはなく専用回線であってもよく、また有線であっても無線であってもよい。
【００１０】
報知手段としては、たとえばブザーやスピーカなどによって警告音を発するもの、あるいはＬＥＤやＬＣＤなどによって警告光を発するものが考えられるが、警告音または警告光を発生できるものであれば他のものでもよい。
【００１１】
また、請求項２に記載した発明の通信装置は、請求項１に記載の通信装置であって、上記第１および第２のフックスイッチのうち、いずれか一方は、上記通信回線の回線電流に基づいて開閉信号を出力している。
【００１２】
この通信装置によれば、請求項１に記載の通信装置による効果に加えて、第１および第２のフックスイッチのうち、いずれか一方は、通信回線の回線電流に基づいて開閉信号を出力しているので、停電などよって他方のフックスイッチが使用できない状況にあっても、一方のフックスイッチが正常に動作することから、停電時などにおける通信回線との接続を保証することができる。
【００１３】
他方のフックスイッチとしては、たとえば外部電源や電池などからの電流に基づいて開閉信号を出力する構成が考えられが、外部電源や電池などに限ることはない。
【００１４】
【００１５】
【００１６】
また、請求項３に記載した発明の通信装置は、請求項１または請求項２に記載の通信装置であって、上記装置本体は、ファクシミリ装置本体である。
【００１７】
この通信装置によれば、請求項１または請求項２に記載の通信装置による効果に加えて、ファクシミリ装置に適用することでき、ファクシミリ通信機能に基づく画像データの送受信を行うことができる。
【００１８】
さらに、請求項４に記載した発明の通信装置は、請求項１ないし請求項３のいずれかに記載の通信装置であって、上記本体離着型の入出力端末は、通話音声を入出力するための送受話器である。
【００１９】
この通信装置によれば、請求項１ないし請求項３のいずれかに記載の通信装置による効果に加えて、送受話器を備えたファクシミリ装置あるいは電話装置などに適用することでき、その送受話器を介して電話機能に基づく通話音声の送受信を行うことができる。
【００２０】
また、請求項５に記載した発明の通信装置は、請求項１ないし請求項４のいずれかに記載の通信装置であって、上記装置本体には、上記通信回線を分岐する回線分岐手段が設けられているとともに、その回線分岐手段を介して上記本体離着型の入出力端末および各種形態の入出力端末が接続可能であり、上記各種形態の入出力端末は、送受話器を備えた電話装置である。
【００２１】
この通信装置によれば、請求項１ないし請求項４のいずれかに記載の通信装置による効果に加えて、たとえばファクシミリ装置本体に電話装置を接続した使用形態で利用することができる。
【００２２】
さらに、請求項６に記載した発明の記憶媒体は、通信回線に接続された装置本体および本体離着型の入出力端末それぞれに、上記通信回線との電気的接続を開閉するための第１および第２のフックスイッチが付設されているとともに、音または光を発する報知手段を備えた通信装置を制御するためのプログラムを記憶した記憶媒体であって、上記第１および第２のフックスイッチからの開閉信号を検出し、これら両フックスイッチの開閉状態に相違があるか否かを判定するための開閉状態判定プログラムと、上記開閉状態判定プログラムに基づいて上記両フックスイッチの開閉状態に相違があると判定された場合、上記報知手段によって警告音または警告光を発生させるための警告報知制御プログラムとを含むプログラムを記憶したことを特徴としている。
【００２３】
この記憶媒体によれば、記憶されたプログラムに基づいてＣＰＵを動作させることにより、請求項１に記載の通信装置の動作を実現することができる。
【００２４】
【発明の実施の形態】
以下、本発明の好ましい実施の形態ついて図面を参照して具体的に説明する。
【００２５】
図１は、本発明にかかる通信装置の一例としてファクシミリ装置の回路構成を示した回路ブロック図であって、この図に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、音声コーデック１０、読取部１１、記録部１２、操作部１３、表示部１４、および発音部１５を装置本体に備え、この装置本体とは別に送受話器２０を具備して構成されている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、および音声コーデック１０は、バス線により相互に接続されている。バス線には、アドレスバス、データバス、および制御信号線が含まれる。ゲートアレイ７には、読取部１１、記録部１２、操作部１３、表示部１４、および発音部１５が接続されている。ＮＣＵ２には、通信回線の一例としての公衆電話回線２１が接続されているとともに、本体離着型の入出力端末として送受話器２０が接続されている。また、ＮＣＵ２には、ファクシミリ装置とは別の入出力端末機器として電話装置３０が接続されている。これら送受話器２０および電話装置３０は、ＮＣＵ２に設けられたモジューラジャックなどを介して接続されている。
【００２６】
ＣＰＵ１は、ファクシミリ装置全体を制御する。ＮＣＵ２は、公衆電話回線２１に接続されて網制御を行う。このＮＣＵ２には、図示しない回線分岐回路が設けられており、この回線分岐回路を介して送受話器２０および電話装置３０が接続されている。ＲＡＭ３は、図示しない電池などにより電源バックアップが施されており、音声データや画像データなどの各種データを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェースとして機能する。コーデック８は、ファクシミリ送信データの符号化やファクシミリ受信データの復号化を行う。ＤＭＡＣ９は、ＲＡＭ３へのデータの書き込みや読み出しを行う。音声コーデック１０は、アナログの音声信号およびデジタルの音声データを相互に変換する。
【００２７】
読取部１１は、光源やイメージセンサなどを備えており、アナログの画像信号を出力する。記録部１２は、たとえばインクジェット方式の記録装置を備えており、受信画像やコピー時の読取画像などを記録用紙上に記録する。操作部１３は、キースイッチ群などからなり、使用者の操作入力に応じた操作信号を出力する。表示部１４は、バックライト内蔵型のＬＣＤなどを備えており、ＣＰＵ１に制御されて各種の表示を行う。発音部１５は、スピーカなどを備えており、相手先からの呼出信号に応じて呼出音や動作状況に応じた警告音などを発生する。
【００２８】
以上の構成において、送受話器２０は、通話音声を入出力するためのものであって、通話を行わない際、操作部１３の所定位置に載せ置かれた状態とされるものである。図２は、ファクシミリ装置の外観周辺を示した外観斜視図であって、この図に示すように、送受話器２０および電話装置３０は、モジューラジャック２ａ，２ｂを介して接続されている。また、操作部１３の送受話器２０が載せ置かれる所定箇所には、第１のフックスイッチ１３ａが設けられている。この第１のフックスイッチ１３ａは、送受話器２０の離着動作に連動して公衆電話回線２１との電気的接続を開閉するものであって、図示しない外部電源からの電源電流に基づいて開閉信号を出力する機構が採用されている。一方、送受話器２０の所定箇所にも第２のフックスイッチ２０ａが設けられており、この第２のフックスイッチ２０ａも、上記第１のフックスイッチ１３ａと同様に、送受話器２０の離着動作に連動して公衆電話回線２１との電気的接続を開閉するものであるが、公衆電話回線２１からの回線電流に基づいて開閉信号を出力するものとされている。つまり、送受話器２０が操作部１３の所定位置に載せ置かれた状態の場合、第１および第２のフックスイッチ１３ａ，２０ａは、ともに開状態となって公衆電話回線２１との電気的な接続を切断することとなる。逆に、送受話器２０が操作部１３の所定位置から離脱された場合、第１および第２のフックスイッチ１３ａ，２０ａは、ともに閉状態となって内部回路と公衆電話回線２１とを電気的に接続した状態とする。
【００２９】
要点について説明すると、第１および第２のフックスイッチ１３ａ，２０ａは、本来の正常な動作では、相互に連動して同じ状態の開閉信号を出力するものであるが、使用者の取り扱いによって正確に送受話器２０が操作部１３の所定位置に載せ置かれなかったりすると、両フックスイッチ１３ａ，２０ａからの開閉信号に相違が生じることとなる。このような状況では、一方のフックスイッチが閉状態であって公衆電話回線２１に接続された状態となることから、相手先からの呼出信号を受信することができなかったり、または課金された状態が持続される場合があるなどの不具合が生じることとなる。そこで、ＣＰＵ１は、両フックスイッチ１３ａ，２０ａからの開閉信号を検出することによって両フックスイッチ１３ａ，２０ａの状態に相違があるか否かを判定している。そして、その判定結果として両フックスイッチ１３ａ，２０ａの開閉状態に相違があると判定した場合、ＣＰＵ１は、発音部１５のスピーカを駆動して警告音を発生させるとともに、ＬＣＤのバックライトを点灯させることで警告光を発生させる。また、ＮＣＵ２を介して電話装置３０が接続されている場合、この電話装置３０は、回線分岐回路を介して送受話器２０ａと並列的に接続された状態とされることから、この場合においても、フックスイッチの動作を原因として回線接続状況に不具合が生じると、ＣＰＵ１の制御によって警告音および警告光が発生することとなる。さらに、外部電源の停電時においては、第１のフックスイッチ１３ａから開閉信号が出力されない状況となるが、第２のフックスイッチ２０ａおよび電話装置３０の図示しないフックスイッチは、停電時においても回線電流に基づいて正常に動作することから、停電時における通信回線との接続が保証されている。
【００３０】
すなわち、ＣＰＵ１は、第１および第２のフックスイッチからの開閉信号を検出し、これら両フックスイッチの開閉状態に相違があるか否かを判定する開閉状態判定手段と、開閉状態判定手段により両フックスイッチの開閉状態に相違があると判定された場合、報知手段によって警告音または警告光を発生させる警告報知制御手段とを実現している。
【００３１】
ＲＯＭ５は、通信回線に接続された装置本体および本体離着型の入出力端末それぞれに、上記通信回線との電気的接続を開閉するための第１および第２のフックスイッチが付設されているとともに、音または光を発する報知手段を備えた通信装置を制御するためのプログラムを記憶した記憶媒体であって、上記第１および第２のフックスイッチからの開閉信号を検出し、これら両フックスイッチの開閉状態に相違があるか否かを判定するための開閉状態判定プログラムと、上記開閉状態判定プログラムに基づいて上記両フックスイッチの開閉状態に相違があると判定された場合、上記報知手段によって警告音または警告光を発生させるための警告報知制御プログラムとを含むプログラムを記憶した記憶媒体を実現している。
【００３２】
上記構成を有するファクシミリ装置の動作の要点について、図３に示すフローチャートを参照して説明する。
【００３３】
図３は、ファクシミリ装置の回線接続状況に応じた処理手順を示したフローチャートであって、この図に示すように、まず、回線接続処理が開始された状態で、ＣＰＵ１は、第１および第２のフックスイッチ１３ａ，２０ａから開閉状態に応じた開閉信号を検出している（Ｓ１）。この開閉信号とは、第１および第２のフックスイッチ１３ａ，２０ａそれぞれの開閉状態に応じた電圧電流で示される方形波信号として出力される。
【００３４】
開閉信号の検出を終えた後、ＣＰＵ１は、第１のフックスイッチ１３ａから信号が検出されたか否かを判断する（Ｓ２）。
【００３５】
第１のフックスイッチ１３ａからの信号が検出された場合（Ｓ２：ＹＥＳ）、ＣＰＵ１は、外部電源からの電源電流に基づいて正常に第１のフックスイッチ１３ａが動作していると判断し、両フックスイッチ１３ａ，２０ａからの開閉信号に基づいて両フックスイッチ１３ａ，２０ａの開閉状態が同一であるか否か判定する（Ｓ３）。
【００３６】
両フックスイッチ１３ａ，２０ａの開閉状態が同一である場合（Ｓ３：ＹＥＳ）、ＣＰＵ１は、検出した開閉信号に基づいて両フックスイッチ１３ａ，２０ａがともに閉状態であるか否かを判定する（Ｓ４）。
【００３７】
両フックスイッチ１３ａ，２０ａがともに閉状態である場合（Ｓ４：ＹＥＳ）、ＣＰＵ１は、ＮＣＵ２を制御して公衆電話回線２１と電気的に接続した状態とする（Ｓ５）。つまり、使用者などによって送受話器２０が装置本体から離脱され、両フックスイッチ１３ａ，２０ａがともにオフフック状態となった時点で、公衆電話回線２１を通じてトーン信号が通知されることとなる。
【００３８】
その後、ＣＰＵ１は、通常の通話音声や呼出信号を送受信する通話処理を開始させる（Ｓ６）。これにより、送受話器２０や操作部１３のテンキーなどを介して、音声や呼出音（リングバックトーン）の送受信が行われる。
【００３９】
通話処理が開始された後、ＣＰＵ１は、再びＳ３と同様の処理を行い、両フックスイッチ１３ａ，２０ａからの開閉信号に基づいて両フックスイッチ１３ａ，２０ａの開閉状態が同一であるか否か判定する（Ｓ７）。
【００４０】
両フックスイッチ１３ａ，２０ａの開閉状態が同一である場合（Ｓ７：ＹＥＳ）、ＣＰＵ１は、開閉信号に基づいて両フックスイッチ１３ａ，２０ａがともに開状態であるか否かを判定する（Ｓ８）。
【００４１】
両フックスイッチ１３ａ，２０ａがともに開状態である場合（Ｓ８：ＹＥＳ）、ＣＰＵ１は、ＮＣＵ２を制御して公衆電話回線２１と電気的に切断した状態とし（Ｓ９）、この回線接続処理に関するプログラムルーチンの実行を終了する。つまり、使用者などによって送受話器２０が装置本体に載せ置かれ、両フックスイッチ１３ａ，２０ａがともにオンフック状態となった時点で、公衆電話回線２１との電気的接続状態が解除されたこととなる。
【００４２】
Ｓ８において、両フックスイッチ１３ａ，２０ａがともに開状態でない場合（Ｓ８：ＮＯ）、ＣＰＵ１は、Ｓ７に戻って両フックスイッチ１３ａ，２０ａの同一判定処理を実行する。
【００４３】
Ｓ７において、両フックスイッチ１３ａ，２０ａの開閉状態が相違する場合（Ｓ７：ＮＯ）、ＣＰＵ１は、スピーカおよびバックライトによって警告音や警告光を発生させる（Ｓ１０）。つまり、使用者などによって送受話器２０が装置本体に載せ置かれた状態であるが、その置き方が悪いことなどによって両フックスイッチ１３ａ，２０ａのいずれか一方がオフフック状態である場合、公衆電話回線２１と電気的に切断された状態とはいえず、このような回線接続状況に不具合があることを注意するために、警告音および警告光が発生することとなる。
【００４４】
警告音および警告光の発生後、ＣＰＵ１は、両フックスイッチ１３ａ，２０ａの開閉状態が同一であるか否か判定し（Ｓ１１）、同一と判定すると（Ｓ１１：ＹＥＳ）、ＣＰＵ１は、警告音および警告光の発生を停止させ（Ｓ１２）、Ｓ８の処理に移行する。つまり、送受話器２０を置き直すことによって両フックスイッチ１３ａ，２０ａがともにオンフックとされた時点で、警告音および警告光の発生が停止されることとなる。
【００４５】
Ｓ１１において、両フックスイッチ１３ａ，２０ａの開閉状態が相違する場合（Ｓ１１：ＮＯ）、ＣＰＵ１は、Ｓ１０に戻って警告音および警告光の発生を継続させる。
【００４６】
Ｓ４において、両フックスイッチ１３ａ，２０ａがともに閉状態でなく開状態の場合（Ｓ４：ＮＯ）、ＣＰＵ１は、Ｓ１に戻ってこのプログラムルーチンの最初の処理である開閉信号の検出を行う。
【００４７】
Ｓ３において、両フックスイッチ１３ａ，２０ａの開閉状態が相違する場合（Ｓ３：ＮＯ）、ＣＰＵ１は、スピーカおよびバックライトによって警告音や警告光を発生させる（Ｓ１３）。つまり、送受話器２０が装置本体に載せ置かれた状態であるが、その置き方が悪いことなどによって両フックスイッチ１３ａ，２０ａのいずれか一方がオフフック状態である場合、そのような送受話器２０の置き方が悪いことを注意するために、警告音および警告光が発生することとなる。
【００４８】
警告音および警告光の発生後、ＣＰＵ１は、両フックスイッチ１３ａ，２０ａの開閉状態が同一であるか否か判定し（Ｓ１４）、同一と判定すると（Ｓ１４：ＹＥＳ）、ＣＰＵ１は、警告音および警告光の発生を停止させ（Ｓ１５）、Ｓ１の処理に戻る。つまり、送受話器２０を置き直すことによって両フックスイッチ１３ａ，２０ａがともにオンフックまたはオフフックとされた時点で、警告音および警告光の発生が停止されることとなる。
【００４９】
Ｓ１４において、両フックスイッチ１３ａ，２０ａの開閉状態が相違する場合（Ｓ１４：ＮＯ）、ＣＰＵ１は、Ｓ１３に戻って警告音および警告光の発生を継続させる。
【００５０】
Ｓ２において、第１のフックスイッチ１３ａからの信号が検出されない場合（Ｓ２：ＮＯ）、ＣＰＵ１は、外部電源からの電源電流がなく停電であると判断して停電時処理を実行し（Ｓ１６）、このルーチンを終了する。この停電時処理とは、回線電流に基づいて動作する第２のフックスイッチ２０ａおよび電話装置３０の図示しないフックスイッチからの開閉信号に応じて通話処理などの制御を行う処理であって、通常の通話処理動作と同様であることから、その詳細な説明を省略する。
【００５１】
図４は、第１および第２のフックスイッチ１３ａ，２０ａの開閉信号、ならびに警告信号の対応関係を示したタイムチャートであって、上記一連の処理手順をこのタイムチャートに基づいて説明すると、まず、正常な動作状態、つまり両フックスイッチ１３ａ，２０ａが同一の状態であるならば、 第１および第２のフックスイッチ１３ａ，２０ａからの開閉信号は、ｔ１〜ｔ２の実線で示されるように、ともに同一の波形信号となる。一方、異常な状態、たとえば第１のフックスイッチ１３ａからの信号がｔ２以降においてローレベルであるにもかかわらず、破線で示すように、第２のフックスイッチ２０ａからの信号がｔ２〜ｔ３においてハイレベルである場合、警告音や警告光を発生する際に出力される警告信号がハイレベルとなる。この警告信号がハイレベルであるｔ２〜ｔ３期間においては、警告音や警告光の発生が持続されることとなる。なお、第１および第２のフックスイッチ１３ａ，２０ａの開閉信号がローレベルでは、オンフック（回線開放）、ハイレベルでは、オフフック（回線閉結）の状態である。また、警告信号がローレベルでは、警告に関する処理動作が行われない状態であり、ハイレベルでは、警告動作が実行されている状態である。
【００５２】
したがって、以上の構成、動作を有するファクシミリ装置によれば、装置本体に対する送受話器２０の置き方によっては、それぞれに設けられた第１および第２のフックスイッチ１３ａ，２０ａの開閉状態が互いに異なる場合がある。このような場合、両フックスイッチ１３ａ，２０ａからの開閉信号が検出されて開閉状態に相違があることがＣＰＵ１によって判定され、その結果、両フックスイッチ１３ａ，２０ａの動作が異なった時点で警告音または警告光が発生するので、２種類のフックスイッチ１３ａ，２０ａの開閉状態に応じて回線接続状況に問題が生じた場合でも、警告音または警告光を発することによって使用者に注意を促すことができる。
【００５３】
具体的には、通話終了後、送受話器２０が装置本体に対して正確に置かれなかった場合、使用者が回線を切断したものと思ってそのままの状態にしていても、警告音または警告光の発生によって送受話器２０の置き直しを促すことができ、その後、送受話器２０が装置本体に正確に置かれることで、相手先からの呼出音（リングバックトーン）を受信することができず、または課金された状態が持続される場合があるなどの不具合を解消することができる。
【００５４】
また、第１および第２のフックスイッチ１３ａ，２０ａ、ならびに電話装置３０のうち、第２のフックスイッチ２０ａおよび電話装置３０は、通信回線の回線電流に基づいて開閉信号を出力しているので、停電などよって第１のフックスイッチ１３ａが使用できない状況にあっても、別のフックスイッチが正常に動作することから、停電時などにおける公衆電話回線２１との接続を保証することができる。
【００５５】
なお、本実施形態は、ファクシミリ装置によって実現されているが、音声の送受信を行う電話装置などに適用することも可能である。
【００５６】
また、両フックスイッチ１３ａ，２０ａは、電源電流および回線電流を逆として動作するものであってもよい。
【００５７】
【発明の効果】
以上説明したように、請求項１に記載した発明の通信装置によれば、装置本体に対する入出力端末の置き方によっては、それぞれに付設された第１および第２のフックスイッチの開閉状態が互いに異なる場合がある。このような場合、両フックスイッチからの開閉信号が検出されて開閉状態に相違があることが判定され、その結果、両フックスイッチの動作が異なった時点で警告音または警告光が発生するので、２種類のフックスイッチの開閉状態に応じて回線接続状況に問題が生じた場合でも、警告音または警告光を発することによって使用者に注意を促すことができる。具体的には、通信終了後、入出力端末が装置本体に対して正確に置かれなかった場合、使用者が回線を切断したものと思ってそのままの状態にしていても、警告音または警告光の発生によって入出力端末の置き直しを促すことができ、その後、入出力端末が装置本体に正確に置かれることで、相手先からの呼出信号を受信することができず、または課金された状態が持続される場合があるなどの不具合を解消することができる。
【００５８】
また、請求項２に記載した発明の通信装置によれば、請求項１に記載の通信装置による効果に加えて、第１および第２のフックスイッチのうち、いずれか一方は、通信回線の回線電流に基づいて開閉信号を出力しているので、停電などよって他方のフックスイッチが使用できない状況にあっても、一方のフックスイッチが正常に動作することから、停電時などにおける通信回線との接続を保証することができる。
【００５９】
【００６０】
また、請求項３に記載した発明の通信装置によれば、請求項１または請求項２に記載の通信装置による効果に加えて、ファクシミリ装置に適用することでき、ファクシミリ通信機能に基づく画像データの送受信を行うことができる。
【００６１】
さらに、請求項４に記載した発明の通信装置によれば、請求項１ないし請求項３のいずれかに記載の通信装置による効果に加えて、送受話器を備えたファクシミリ装置あるいは電話装置などに適用することでき、その送受話器を介して電話機能に基づく通話音声の送受信を行うことができる。
【００６２】
また、請求項５に記載した発明の通信装置によれば、請求項１ないし請求項４のいずれかに記載の通信装置による効果に加えて、たとえばファクシミリ装置本体に電話装置を接続した使用形態で利用することができる。
【００６３】
さらに、請求項６に記載した発明の記憶媒体によれば、記憶されたプログラムに基づいてＣＰＵを動作させることにより、請求項１に記載の通信装置の動作を実現することができる。
【図面の簡単な説明】
【図１】  本発明にかかる通信装置の一例としてファクシミリ装置の回路構成を示した回路ブロック図である。
【図２】  ファクシミリ装置の外観周辺を示した外観斜視図である。
【図３】  ファクシミリ装置の回線接続状況に応じた処理手順を示したフローチャートである。
【図４】  第１および第２のフックスイッチの開閉信号、ならびに警告信号の対応関係を示したタイムチャートである。
【符号の説明】
１      ＣＰＵ
２      ＮＣＵ
３      ＲＡＭ
４      モデム
５      ＲＯＭ
６      ＥＥＰＲＯＭ
７      ゲートアレイ
８      コーデック
９      ＤＭＡＣ
１０    音声コーデック
１１    読取部
１２    記録部
１３    操作部
１３ａ  第１のフックスイッチ
１４    表示部
１５    発音部
２０    送受話器
２０ａ  第２のフックスイッチ
２１    公衆電話回線
３０    電話装置
【図１】
0004029463.tif 000002
【図２】
0004029463.tif 000003
【図３】
0004029463.tif 000004
【図４】
0004029463.tif 000005